【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
外部機器との間である一定の周期毎に第１の転送モードにて転送される第１の転送データを受信して第１の転送データ用格納メモリに格納し、
前記第１の転送モードによるデータ転送が行われていない時間にデータ転送が行われる第２の転送モードにて転送される第２の転送データを受信して第２の転送データ用格納メモリに格納し、
前記第１の転送データ用格納メモリに格納した第１の転送データを第１のインタフェースから読み出し、
前記第２の転送データ用格納メモリに格納した第２の転送データを第２のインタフェースから読み出すこと
を特徴とするデータ処理方法。
【請求項２】
外部機器との間である一定の周期毎に第１の転送モードにて転送される第１の転送データを受信して第１の転送データ用格納メモリに格納し、
前記第１の転送モードによるデータ転送が行われていない時間にデータ転送が行われる第２の転送モードにて転送される第２の転送データを受信して第２の転送データ用格納メモリに格納し、
前記第１の転送データ用格納メモリに格納した第１の転送データを第１のインタフェースを介して内部装置に転送し、
前記第２の転送データ用格納メモリに格納した第２の転送データを第２のインタフェースを介して内部装置に転送すること
を特徴とするデータ処理方法。
【請求項３】
外部機器との間である一定の周期毎に第１の転送モードにて転送される第１の転送データを第１のインタフェースを介して第１の転送データ用格納メモリに格納した後に送信し、
前記第１の転送モードによるデータ転送が行われていない時間にデータ転送が行われる第２の転送モードにて転送される第２の転送データを第２のインタフェースを介して第２の転送データ用格納メモリに格納した後に送信すること
を特徴とするデータ処理方法。
【請求項４】
請求項１〜３のうち何れか１項に記載のデータ処理方法において、前記第１の転送データ用格納メモリと前記第２の転送データ用格納メモリとは複数の格納メモリを含むことを特徴とするデータ処理方法。
【請求項５】
請求項１〜４のうち何れか１項に記載のデータ処理方法において、前記第１の転送データ用格納メモリは、受信用メモリと送信用メモリとで構成されることを特徴とするデータ処理方法。
【請求項６】
請求項１〜４のうち何れか１項に記載のデータ処理方法において、前記第２の転送データ用格納メモリは、受信用メモリと送信用メモリとで構成されることを特徴とするデータ処理方法。
【請求項７】
請求項１〜６のうち何れか１項に記載のデータ処理方法において、前記第１のインタフェースは、受信用インタフェースと送信用インタフェースとで構成されることを特徴とするデータ処理方法。
【請求項８】
請求項１〜６のうち何れか１項に記載のデータ処理方法において、前記第２のインタフェースは、受信用インタフェースと送信用インタフェースとで構成されることを特徴とするデータ処理方法。
【請求項９】
請求項１〜８のうち何れか１項に記載のデータ処理方法において、第３のメモリに格納された制御データを使用することを特徴とするデータ処理方法。
【請求項１０】
請求項１〜９のうち何れか１項に記載のデータ処理方法において、前記第２のインタフェースは、プロセッサへのインタフェースを兼ねることを特徴とするデータ処理方法。
【請求項１１】
請求項１〜１０のうち何れか１項に記載のデータ処理方法において、前記第１の転送データは、第１のＤＭＡに供給されることを特徴とするデータ処理方法。
【請求項１２】
請求項１〜１１のうち何れか１項に記載のデータ処理方法において、前記第２の転送データは、第２のＤＭＡに供給されることを特徴とするデータ処理方法。
【請求項１３】
請求項１〜１２のうち何れか１項に記載のデータ処理方法において、前記第１の転送モードは、アイソクロナス転送モードであり、前記第２の転送モードは、エイシンクロナス転送モードであることを特徴とするデータ処理方法。
【請求項１４】
内部装置と外部機器との間でデータ転送を行なうデータ処理方法であって、
ある一定の周期毎に第１の転送モードにて転送される第１の転送データが格納される第１の転送データ用格納メモリから読み出した受信用の第１の転送データを前記内部装置に転送するとともに、前記内部装置からの送信用の第１の転送データを前記第１の転送データ用格納メモリに格納し、
前記第１の転送モードによるデータ転送が行なわれていない時間にデータ転送が行われる第２の転送モードにて転送される第２の転送データが格納される第２の転送データ用格納メモリから読み出した受信用の第２の転送データを前記内部装置に転送するとともに、前記内部装置からの送信用の第２の転送データを前記第２の転送データ用格納メモリに格納すること
を特徴とするデータ処理方法。
【請求項１５】
外部機器との間である一定の周期毎に第１の転送モードにて転送される第１の転送データを受信して格納するための第１の転送データ用格納メモリと、
前記第１の転送モードによるデータ転送が行われていない時間にデータ転送が行われる第２の転送モードにて転送される第２の転送データを受信して格納するための第２の転送データ用格納メモリと、
前記第１の転送データ用格納メモリから読み出した前記第１の転送データを転送するための第１のインタフェースと、
前記第２の転送データ用格納メモリから読み出した前記第２の転送データを転送するための第２のインタフェースと
を備えたことを特徴とするデータ処理装置。
【請求項１６】
外部機器との間である一定の周期毎に第１の転送モードにて転送される第１の転送データを受信して格納するための第１の転送データ用格納メモリと、
前記第１の転送モードによるデータ転送が行われていない時間にデータ転送が行われる第２の転送モードにて転送される第２の転送データを受信して格納するための第２の転送データ用格納メモリと、
前記第１の転送データ用格納メモリから読み出した前記第１の転送データを内部装置に転送するための第１のインタフェースと、
前記第２の転送データ用格納メモリから読み出した前記第２の転送データを内部装置に転送するための第２のインタフェースと
を備えたことを特徴とするデータ処理装置。
【請求項１７】
外部機器との間である一定の周期毎に第１の転送モードにて転送される第１の転送データを受信する第１のインタフェースと、
前記第１のインタフェースからの前記第１の転送データを格納する第１の転送データ用格納メモリと、
前記第１の転送モードによるデータ転送が行われていない時間にデータ転送が行われる第２の転送モードにて転送される第２の転送データを受信する第２のインタフェースと、
前記第２のインタフェースからの前記第２の転送データを格納する第２の転送データ用格納メモリと
を備えたことを特徴とするデータ処理装置。
【請求項１８】
請求項１５〜１７のうち何れか１項に記載のデータ処理装置において、前記第１の転送データ用格納メモリと前記第２の転送データ用格納メモリとは複数の格納メモリを含むことを特徴とするデータ処理装置。
【請求項１９】
請求項１５〜１８のうち何れか１項に記載のデータ処理装置において、前記第１の転送データ用格納メモリは、受信用メモリと送信用メモリとで構成されることを特徴とするデータ処理装置。
【請求項２０】
請求項１５〜１９のうち何れか１項に記載のデータ処理装置において、前記第２の転送データ用格納メモリは、受信用メモリと送信用メモリとで構成されることを特徴とするデータ処理装置。
【請求項２１】
請求項１５〜２０のうち何れか１項に記載のデータ処理装置において、前記第１のインタフェースは、受信用インタフェースと送信用インタフェースとで構成されることを特徴とするデータ処理装置。
【請求項２２】
請求項１５〜２１のうち何れか１項に記載のデータ処理装置において、前記第２のインタフェースは、受信用インタフェースと送信用インタフェースとで構成されることを特徴とするデータ処理装置。
【請求項２３】
請求項１５〜２２のうち何れか１項に記載のデータ処理装置において、制御データを格納する第３のメモリを備えることを特徴とするデータ処理装置。
【請求項２４】
請求項１５〜２３のうち何れか１項に記載のデータ処理装置において、前記第２のインタフェースは、プロセッサへのインタフェースを兼ねることを特徴とするデータ処理装置。
【請求項２５】
請求項１５〜２４のうち何れか１項に記載のデータ処理装置において、前記第１の転送データが供給される第１のＤＭＡを備えることを特徴とするデータ処理装置。
【請求項２６】
請求項１５〜２５のうち何れか１項に記載のデータ処理装置において、前記第２の転送データが供給される第２のＤＭＡを備えることを特徴とするデータ処理装置。
【請求項２７】
請求項１５〜２６のうち何れか１項に記載のデータ処理装置において、前記第１の転送モードは、アイソクロナス転送モードであり、前記第２の転送モードは、エイシンクロナス転送モードであることを特徴とするデータ処理装置。
【請求項２８】
内部装置と外部機器との間に設けられたデータ処理装置であって、
ある一定の周期毎に第１の転送モードにて転送される第１の転送データが格納される第１の転送データ用格納メモリから読み出した受信用の第１の転送データを前記内部装置に転送するとともに、前記内部装置からの送信用の第１の転送データを前記第１の転送データ用格納メモリに格納する第１のインタフェースと、
前記第１の転送モードによるデータ転送が行なわれていない時間にデータ転送が行われる第２の転送モードにて転送される第２の転送データが格納される第２の転送データ用格納メモリから読み出した受信用の第２の転送データを前記内部装置に転送するとともに、前記内部装置からの送信用の第２の転送データを前記第２の転送データ用格納メモリに格納するための第２のインタフェースと
を備えたことを特徴とするデータ処理装置。
【請求項２９】
請求項２８に記載のデータ処理装置において、前記第１の転送データ用格納メモリは、前記受信用の第１の転送データを格納するための第１の受信用転送データ格納メモリと、前記送信用の第１の転送データを格納するための第１の送信用転送データ格納メモリとを含むことを特徴とするデータ処理装置。
【請求項３０】
請求項２８又は請求項２９に記載のデータ処理装置において、前記第２の転送データ用格納メモリは、前記受信用の第２の転送データを格納するための第２の受信用転送データ格納メモリと、前記送信用の第２の転送データを格納するための第２の送信用転送データ格納メモリとを含むことを特徴とするデータ処理装置。
【請求項３１】
請求項２８〜３０のうち何れか１項に記載のデータ処理装置において、前記第１のインタフェースは、第１の受信用インタフェースと、第１の送信用インタフェースとを含むことを特徴とするデータ処理装置。
【請求項３２】
請求項２８〜３１のうち何れか１項に記載のデータ処理装置において、前記第２のインタフェースは、第２の受信用インタフェースと、第２の送信用インタフェースとを含むことを特徴とするデータ処理装置。
【請求項３３】
請求項２８〜３２のうち何れか１項に記載のデータ処理装置において、制御データを格納する第３のメモリを備えることを特徴とするデータ処理装置。
【請求項３４】
請求項２８〜３３のうち何れか１項に記載のデータ処理装置において、前記第２のインタフェースは、プロセッサへのインタフェースを兼ねることを特徴とするデータ処理装置。
【請求項３５】
請求項２８〜３４のうち何れか１項に記載のデータ処理装置において、前記第１の転送データが供給される第１のＤＭＡを備えることを特徴とするデータ処理装置。
【請求項３６】
請求項２８〜３５のうち何れか１項に記載のデータ処理装置において、前記第２の転送データが供給される第２のＤＭＡを備えることを特徴とするデータ処理装置。
【請求項３７】
請求項２８〜３６のうち何れか１項に記載のデータ処理装置において、前記第１の転送モードは、アイソクロナス転送モードであり、前記第２の転送モードは、エイシンクロナス転送モードであることを特徴とするデータ処理装置。
【請求項３８】
外部機器との間である一定の周期毎に第１の転送モードにて転送される第１の転送データ又は前記第１の転送モードによるデータ転送が行われていない時間にデータ転送が行われる第２の転送モードにて転送される第２の転送データを受信する物理層処理回路と、
前記物理層処理回路からの第１の転送データ又は第２の転送データを処理するリンク層処理回路と、
前記リンク層処理回路からの第１の転送データ又は第２の転送データを処理するパケット処理回路と、
前記パケット処理回路からの第１の転送データを格納するための第１の転送データ用格納メモリと、
前記パケット処理回路で処理された第２の転送データを格納するための第２の転送データ用格納メモリと、
前記第１の転送データ用格納メモリから読み出した前記第１の転送データを転送する第１のインタフェースと、
前記第２の転送データ用格納メモリから読み出した前記第２の転送データを転送する第２のインタフェースと
を備えたことを特徴とするデータ処理装置。
【請求項３９】
請求項３８に記載のデータ処理装置において、前記リンク層処理回路は、前記第１の転送データ又は前記第２の転送データが自己宛のデータか否かを判断する処理、又は、前記第１の転送データ又は前記第２の転送データの種類を判断して前記パケット処理回路に送信する処理を行なうことを特徴とするデータ処理装置。
【請求項４０】
請求項３８に記載のデータ処理装置において、前記パケット処理回路は、誤り訂正のチェック処理を行なうことを特徴とするデータ処理装置。
【請求項４１】
外部機器との間である一定の周期毎に第１の転送モードにて転送される第１の転送データを内部装置から受信する第１インタフェースと、
前記第１の転送モードによるデータ転送が行われていない時間にデータ転送が行われる第２の転送モードにて転送される第２の転送データを内部装置から受信する第２インタフェースと、
前記第１インタフェースからの第１の転送データを格納するための第１の転送データ用格納メモリと、
前記第２インタフェースからの第２の転送データを格納するための第２の転送データ用格納メモリと、
前記第１の転送データ用格納メモリからの第１の転送データ又は前記第２の転送データ用格納メモリからの第２の転送データを処理するパケット処理部と、
前記パケット処理部からの第１の転送データ又は第２の転送データを処理するリンク層処理回路と、
前記リンク層処理回路からの第１の転送データ又は第２の転送データを送信する物理層処理回路と
を備えたことを特徴とするデータ処理装置。
【請求項４２】
請求項４１に記載のデータ処理装置において、前記パケット処理回路は、誤り訂正符号を生成し、前記第１の転送データ又は前記第２の転送データに付加することを特徴とするデータ処理装置。
【請求項４３】
外部機器との間である一定の周期毎にデータ転送が第１の転送モードにて転送される第１のデータパケットを前記外部機器から受信し、
前記受信した第１のデータパケットをヘッダとデータとに分離し、
前記ヘッダをヘッダ用格納メモリに格納し、
前記データをデータ用格納メモリに格納し、
前記ヘッダ用格納メモリからヘッダを読み出し、
前記データ用格納メモリからデータを連続して読み出すこと
を特徴とするデータ処理方法。
【請求項４４】
外部機器との間である一定の周期毎にデータ転送が第１の転送モードにて転送される第１のデータパケットを受信し、
前記第１の転送モードによるデータ転送が行われていない時間にデータ転送が行われる第２の転送モードにて転送される第２のデータパケットを受信し、
前記第１のデータパケットを第１のヘッダと第１のデータとに分離し、
前記第２のデータパケットを第２のヘッダと第２のデータとに分離し、
前記第１のヘッダをヘッダ用格納メモリに格納し、
前記第２のヘッダを前記ヘッダ用格納メモリに格納し、
前記第１のデータをデータ用格納メモリに格納し、
前記第２のデータを前記データ用格納メモリに格納し、
前記ヘッダ用格納メモリから前記第１のヘッダを読み出すとともに、前記データ用格納メモリから前記第１のデータを連続して読み出し、
前記ヘッダ用格納メモリから前記第２のヘッダを読み出すとともに、前記データ用格納メモリから前記第２のデータを連続して読み出すこと
を特徴とするデータ処理方法。
【請求項４５】
請求項４４に記載のデータ処理方法であって、
前記外部機器に送信するための送信用の第１のデータを前記データ用格納メモリに格納し、
前記送信用の第１のデータに対応するヘッダを前記ヘッダ用格納メモリに格納し、
前記データ用格納メモリから前記送信用の第１のデータを読み出し、
前記ヘッダ用格納メモリから前記ヘッダを読み出し、
前記送信用の第１のデータと前記ヘッダとで送信用のパケットを生成し送信すること
を特徴とするデータ処理方法。
【請求項４６】
請求項４４に記載のデータ処理方法であって、
前記外部機器に送信するための送信用の第２のデータを前記データ用格納メモリに格納し、
前記送信用の第２のデータに対応するヘッダを前記ヘッダ用格納メモリに格納し、
前記データ用格納メモリから前記送信用の第２のデータを読み出し、
前記ヘッダ用格納メモリから前記ヘッダを読み出し、
前記送信用の第２のデータと前記ヘッダとで送信用のパケットを生成し送信すること
を特徴とするデータ処理方法。
【請求項４７】
内部装置と外部機器との間に設けられ、ある一定の周期毎に第１の転送モードにて転送される第１のデータパケットを受信するデータ処理装置であって、
前記受信した第１のデータパケット及び第２のデータパケットをヘッダとデータとに分離するパケット解析部と、
前記ヘッダを格納するヘッダ用格納メモリと、
前記データを格納するデータ用格納メモリと、
前記ヘッダ用格納メモリに格納されたヘッダと、前記データ用格納メモリに格納されたデータとをそれぞれ別々に前記内部装置に転送するためのインタフェースと
を備えたことを特徴とするデータ処理装置。
【請求項４８】
内部装置と外部機器との間に設けられ、ある一定の周期毎に第１の転送モードにて転送される第１のデータパケットと、前記第１の転送モードによるデータ転送が行われていない時間にデータ転送が行われる第２の転送モードにて転送される第２のデータパケットの送信及び受信を行うデータ処理装置であって、
前記受信した第１のデータパケット及び第２のデータパケットをヘッダとデータとに分離するパケット解析部と、
前記ヘッダ及び前記内部装置から出力される送信用のデータに対応する送信用のヘッダを格納するためのヘッダ用格納メモリと、
前記データ及び前記内部装置から出力される送信用のデータを格納するためのデータ用格納メモリと、
前記ヘッダ用格納メモリに格納されたヘッダと、前記データ用格納メモリに格納されたデータとをそれぞれ別々に前記内部装置に転送するとともに、前記内部装置からの送信用のヘッダを前記ヘッダ用格納メモリに転送し、前記内部装置からの送信用のデータを前記データ用格納メモリに転送するためのインタフェースと、
前記送信用のヘッダと前記送信用のデータとに基づいて送信用のパケットを生成するパケット生成部と
を備えたことを特徴とするデータ処理装置。
【請求項４９】
請求項４８に記載のデータ処理装置において、
前記パケット解析部は、前記第１のデータパケットのための第１のデータパケット用パケット解析部と、前記第２のデータパケットのための第２のデータパケット用パケット解析部とを含み、
前記ヘッダ用格納メモリは、前記第１のデータパケットのための第１のデータパケット用ヘッダ格納メモリと、前記第２のデータパケットのための第２のデータパケット用ヘッダ格納メモリとを含み、
前記データ用格納メモリは、前記第１のデータパケットのための第１のデータパケット用データ格納メモリと、前記第２のデータパケットのための第２のデータパケット用データ格納メモリとを含み、
前記インタフェースは、前記第１のデータパケットのための第１のインタフェースと、前記第２のデータパケットのための第２のインタフェースとを含み、
前記パケット生成部は、前記第１のデータパケットのための第１のデータパケット用パケット生成部と、前記第２のデータパケットのための第２のデータパケット用パケット生成部とを含むこと
を特徴とするデータ処理装置。
【手続補正２】
【補正対象書類名】明細書
【補正対象項目名】００１４
【補正方法】変更
【補正の内容】
【００１４】
【課題を解決するための手段】
請求項１の発明は、外部機器との間である一定の周期毎に第１の転送モードにて転送される第１の転送データを受信して第１の転送データ用格納メモリに格納し、前記第１の転送モードによるデータ転送が行われていない時間にデータ転送が行われる第２の転送モードにて転送される第２の転送データを受信して第２の転送データ用格納メモリに格納し、前記第１の転送データ用格納メモリに格納した第１の転送データを第１のインタフェースから読み出し、前記第２の転送データ用格納メモリに格納した第２の転送データを第２のインタフェースから読み出すようにした。
請求項２の発明は、外部機器との間である一定の周期毎に第１の転送モードにて転送される第１の転送データを受信して第１の転送データ用格納メモリに格納し、前記第１の転送モードによるデータ転送が行われていない時間にデータ転送が行われる第２の転送モードにて転送される第２の転送データを受信して第２の転送データ用格納メモリに格納し、前記第１の転送データ用格納メモリに格納した第１の転送データを第１のインタフェースを介して内部装置に転送し、前記第２の転送データ用格納メモリに格納した第２の転送データを第２のインタフェースを介して内部装置に転送するようにした。
請求項３の発明は、外部機器との間である一定の周期毎に第１の転送モードにて転送される第１の転送データを第１のインタフェースを介して第１の転送データ用格納メモリに格納した後に送信し、前記第１の転送モードによるデータ転送が行われていない時間にデータ転送が行われる第２の転送モードにて転送される第２の転送データを第２のインタフェースを介して第２の転送データ用格納メモリに格納した後に送信するようにした。
請求項４の発明は、請求項１〜３のうち何れか１項に記載のデータ処理方法において、前記第１の転送データ用格納メモリと前記第２の転送データ用格納メモリとは複数のメモリを含むようにした。
請求項５の発明は、請求項１〜４のうち何れか１項に記載のデータ処理方法において、前記第１の転送データ用格納メモリは、受信用メモリと送信用メモリとで構成するようにした。
請求項６の発明は、請求項１〜４のうち何れか１項に記載のデータ処理方法において、前記第２の転送データ用格納メモリは、受信用メモリと送信用メモリとで構成するようにした。
請求項７の発明は、請求項１〜６のうち何れか１項に記載のデータ処理方法において、前記第１のインタフェースは、受信用インタフェースと送信用インタフェースとで構成するようにした。
請求項８の発明は、請求項１〜６のうち何れか１項に記載のデータ処理方法において、前記第２のインタフェースは、受信用インタフェースと送信用インタフェースとで構成するようにした。
請求項９の発明は、請求項１〜８のうち何れか１項に記載のデータ処理方法において、第３のメモリに格納された制御データを使用するようにした。
請求項１０の発明は、請求項１〜９のうち何れか１項に記載のデータ処理方法において、前記第２のインタフェースは、プロセッサへのインタフェースを兼ねるようにした。
請求項１１の発明は、請求項１〜１０のうち何れか１項に記載のデータ処理方法において、前記第１の転送データは、第１のＤＭＡに供給するようにした。
請求項１２の発明は、請求項１〜１１のうち何れか１項に記載のデータ処理方法において、前記第２の転送データは、第２のＤＭＡに供給するようにした。
請求項１３の発明は、請求項１〜１２のうち何れか１項に記載のデータ処理方法において、前記第１の転送モードは、アイソクロナス転送モードであり、前記第２の転送モードは、エイシンクロナス転送モードである。
【手続補正３】
【補正対象書類名】明細書
【補正対象項目名】００１５
【補正方法】変更
【補正の内容】
【００１５】
請求項１４の発明は、内部装置と外部機器との間でデータ転送を行なうデータ処理方法であって、ある一定の周期毎に第１の転送モードにて転送される第１の転送データが格納される第１の転送データ用格納メモリから読み出した受信用の第１の転送データを前記内部装置に転送するとともに、前記内部装置からの送信用の第１の転送データを前記第１の転送データ用格納メモリに格納し、前記第１の転送モードによるデータ転送が行なわれていない時間にデータ転送が行われる第２の転送モードにて転送される第２の転送データが格納される第２の転送データ用格納メモリから読み出した受信用の第２の転送データを前記内部装置に転送するとともに、前記内部装置からの送信用の第２の転送データを前記第２の転送データ用格納メモリに格納するようにした。
【手続補正４】
【補正対象書類名】明細書
【補正対象項目名】００１６
【補正方法】変更
【補正の内容】
【００１６】
請求項１５の発明は、外部機器との間である一定の周期毎に第１の転送モードにて転送される第１の転送データを受信して格納するための第１の転送データ用格納メモリと、前記第１の転送モードによるデータ転送が行われていない時間にデータ転送が行われる第２の転送モードにて転送される第２の転送データを受信して格納するための第２の転送データ用格納メモリと、前記第１の転送データ用格納メモリから読み出した前記第１の転送データを転送するための第１のインタフェースと、前記第２の転送データ用格納メモリから読み出した前記第２の転送データを転送するための第２のインタフェースとを備えた。
請求項１６の発明は、外部機器との間である一定の周期毎に第１の転送モードにて転送される第１の転送データを受信して格納するための第１の転送データ用格納メモリと、前記第１の転送モードによるデータ転送が行われていない時間にデータ転送が行われる第２の転送モードにて転送される第２の転送データを受信して格納するための第２の転送データ用格納メモリと、前記第１の転送データ用格納メモリから読み出した前記第１の転送データを内部装置に転送するための第１のインタフェースと、前記第２の転送データ用格納メモリから読み出した前記第２の転送データを内部装置に転送するための第２のインタフェースとを備えた。
請求項１７の発明は、外部機器との間である一定の周期毎に第１の転送モードにて転送される第１の転送データを受信する第１のインタフェースと、前記第１のインタフェースからの前記第１の転送データを格納する第１の転送データ用格納メモリと、前記第１の転送モードによるデータ転送が行われていない時間にデータ転送が行われる第２の転送モードにて転送される第２の転送データを受信する第２のインタフェースと、前記第２のインタフェースからの前記第２の転送データを格納する第２の転送データ用格納メモリとを備えた。
請求項１８の発明は、請求項１５〜１７のうち何れか１項に記載のデータ処理装置において、前記第１の転送データ用格納メモリと前記第２の転送データ用格納メモリとは複数のメモリを含む。
請求項１９の発明は、請求項１５〜１８のうち何れか１項に記載のデータ処理装置において、前記第１の転送データ用格納メモリは、受信用メモリと送信用メモリとで構成される。
請求項２０の発明は、請求項１５〜１９のうち何れか１項に記載のデータ処理装置において、前記第２の転送データ用格納メモリは、受信用メモリと送信用メモリとで構成される。
請求項２１の発明は、請求項１５〜２０のうち何れか１項に記載のデータ処理装置において、前記第１のインタフェースは、受信用インタフェースと送信用インタフェースとで構成される。
請求項２２の発明は、請求項１５〜２１のうち何れか１項に記載のデータ処理装置において、前記第２のインタフェースは、受信用インタフェースと送信用インタフェースとで構成される。
請求項２３の発明は、請求項１５〜２２のうち何れか１項に記載のデータ処理装置において、制御データを格納する第３のメモリを備える。
請求項２４の発明は、請求項１５〜２３のうち何れか１項に記載のデータ処理装置において、前記第２のインタフェースは、プロセッサへのインタフェースを兼ねる。
請求項２５の発明は、請求項１５〜２４のうち何れか１項に記載のデータ処理装置において、前記第１の転送データが供給される第１のＤＭＡを備える。
請求項２６の発明は、請求項１５〜２５のうち何れか１項に記載のデータ処理装置において、前記第２の転送データが供給される第２のＤＭＡを備える。
請求項２７の発明は、請求項１５〜２６のうち何れか１項に記載のデータ処理装置において、前記第１の転送モードは、アイソクロナス転送モードであり、前記第２の転送モードは、エイシンクロナス転送モードである。
【手続補正５】
【補正対象書類名】明細書
【補正対象項目名】００１７
【補正方法】変更
【補正の内容】
【００１７】
請求項２８の発明は、内部装置と外部機器との間に設けられたデータ処理装置であって、ある一定の周期毎に第１の転送モードにて転送される第１の転送データが格納される第１の転送データ用格納メモリから読み出した受信用の第１の転送データを前記内部装置に転送するとともに、前記内部装置からの送信用の第１の転送データを前記第１の転送データ用格納メモリに格納する第１のインタフェースと、前記第１の転送モードによるデータ転送が行なわれていない時間にデータ転送が行われる第２の転送モードにて転送される第２の転送データが格納される第２の転送データ用格納メモリから読み出した受信用の第２の転送データを前記内部装置に転送するとともに、前記内部装置からの送信用の第２の転送データを前記第２の転送データ用格納メモリに格納するための第２のインタフェースとを備えた。
請求項２９の発明は、請求項２８に記載のデータ処理装置において、前記第１の転送データ用格納メモリは、前記受信用の第１の転送データを格納するための第１の受信用転送データ格納メモリと、前記送信用の第１の転送データを格納するための第１の送信用転送データ格納メモリとを含む。
請求項３０の発明は、請求項２８又は請求項２９に記載のデータ処理装置において、前記第２の転送データ用格納メモリは、前記受信用の第２の転送データを格納するための第２の受信用転送データ格納メモリと、前記送信用の第２の転送データを格納するための第２の送信用転送データ格納メモリとを含む。
請求項３１の発明は、請求項２８〜３０のうち何れか１項に記載のデータ処理装置において、前記第１のインタフェースは、第１の受信用インタフェースと、第１の送信用インタフェースとを含む。
請求項３２の発明は、請求項２８〜３１のうち何れか１項に記載のデータ処理装置において、前記第２のインタフェースは、第２の受信用インタフェースと、第２の送信用インタフェースとを含む。
請求項３３の発明は、請求項２８〜３２のうち何れか１項に記載のデータ処理装置において、制御データを格納する第３のメモリを備える。
請求項３４の発明は、請求項２８〜３３のうち何れか１項に記載のデータ処理装置において、前記第２のインタフェースは、プロセッサへのインタフェースを兼ねる。
請求項３５の発明は、請求項２８〜３４のうち何れか１項に記載のデータ処理装置において、前記第１の転送データが供給される第１のＤＭＡを備える。
請求項３６の発明は、請求項２８〜３５のうち何れか１項に記載のデータ処理装置において、前記第２の転送データが供給される第２のＤＭＡを備える。
請求項３７の発明は、請求項２８〜３６のうち何れか１項に記載のデータ処理装置において、前記第１の転送モードは、アイソクロナス転送モードであり、前記第２の転送モードは、エイシンクロナス転送モードである。
【手続補正６】
【補正対象書類名】明細書
【補正対象項目名】００１８
【補正方法】変更
【補正の内容】
【００１８】
請求項３８の発明は、外部機器との間である一定の周期毎に第１の転送モードにて転送される第１の転送データ又は前記第１の転送モードによるデータ転送が行われていない時間にデータ転送が行われる第２の転送モードにて転送される第２の転送データを受信する物理層処理回路と、前記物理層処理回路からの第１の転送データ又は第２の転送データを処理するリンク層処理回路と、前記リンク層処理回路からの第１の転送データ又は第２の転送データを処理するパケット処理回路と、前記パケット処理回路からの第１の転送データを格納するための第１の転送データ用格納メモリと、前記パケット処理回路で処理された第２の転送データを格納するための第２の転送データ用格納メモリと、前記第１の転送データ用格納メモリから読み出した前記第１の転送データを転送する第１のインタフェースと、前記第２の転送データ用格納メモリから読み出した前記第２の転送データを転送する第２のインタフェースとを備えた。
請求項３９の発明は、請求項３８に記載のデータ処理装置において、前記リンク層処理回路は、前記第１の転送データ又は前記第２の転送データが自己宛のデータか否かを判断する処理、又は、前記第１の転送データ又は前記第２の転送データの種類を判断して前記パケット処理回路に送信する処理を行なう。
請求項４０の発明は、請求項３８に記載のデータ処理装置において、前記パケット処理回路は、誤り訂正のチェック処理を行なう。
【手続補正７】
【補正対象書類名】明細書
【補正対象項目名】００１９
【補正方法】変更
【補正の内容】
【００１９】
請求項４１の発明は、外部機器との間である一定の周期毎に第１の転送モードにて転送される第１の転送データを内部装置から受信する第１インタフェースと、前記第１の転送モードによるデータ転送が行われていない時間にデータ転送が行われる第２の転送モードにて転送される第２の転送データを内部装置から受信する第２インタフェースと、前記第１インタフェースからの第１の転送データを格納するための第１の転送データ用格納メモリと、前記第２インタフェースからの第２の転送データを格納するための第２の転送データ用格納メモリと、前記第１の転送データ用格納メモリからの第１の転送データ又は前記第２の転送データ用格納メモリからの第２の転送データを処理するパケット処理部と、前記パケット処理部からの第１の転送データ又は第２の転送データを処理するリンク層処理回路と、前記リンク層処理回路からの第１の転送データ又は第２の転送データを送信する物理層処理回路とを備えた。
請求項４２の発明は、請求項４１に記載のデータ処理装置において、前記パケット処理回路は、誤り訂正符号を生成し、前記第１の転送データ又は前記第２の転送データに付加する。
【手続補正８】
【補正対象書類名】明細書
【補正対象項目名】００２０
【補正方法】変更
【補正の内容】
【００２０】
請求項４３の発明は、外部機器との間である一定の周期毎にデータ転送が第１の転送モードにて転送される第１のデータパケットを前記外部機器から受信し、前記受信した第１のデータパケットをヘッダとデータとに分離し、前記ヘッダをヘッダ用格納メモリに格納し、前記データをデータ用格納メモリに格納し、前記ヘッダ用格納メモリからヘッダを読み出し、前記データ用格納メモリからデータを連続して読み出すようにした。
【手続補正９】
【補正対象書類名】明細書
【補正対象項目名】００２１
【補正方法】変更
【補正の内容】
【００２１】
請求項４４の発明は、外部機器との間である一定の周期毎にデータ転送が第１の転送モードにて転送される第１のデータパケットを受信し、前記第１の転送モードによるデータ転送が行われていない時間にデータ転送が行われる第２の転送モードにて転送される第２のデータパケットを受信し、前記第１のデータパケットを第１のヘッダと第１のデータとに分離し、前記第２のデータパケットを第２のヘッダと第２のデータとに分離し、前記第１のヘッダをヘッダ用格納メモリに格納し、前記第２のヘッダを前記ヘッダ用格納メモリに格納し、前記第１のデータをデータ用格納メモリに格納し、前記第２のデータを前記データ用格納メモリに格納し、前記ヘッダ用格納メモリから前記第１のヘッダを読み出すとともに、前記データ用格納メモリから前記第１のデータを連続して読み出し、前記ヘッダ用格納メモリから前記第２のヘッダを読み出すとともに、前記データ用格納メモリから前記第２のデータを連続して読み出すようにした。
【手続補正１０】
【補正対象書類名】明細書
【補正対象項目名】００２２
【補正方法】変更
【補正の内容】
【００２２】
請求項４５の発明は、請求項４４に記載のデータ処理方法であって、前記外部機器に送信するための送信用の第１のデータを前記データ用格納メモリに格納し、前記送信用の第１のデータに対応するヘッダを前記ヘッダ用格納メモリに格納し、前記データ用格納メモリから前記送信用の第１のデータを読み出し、前記ヘッダ用格納メモリから前記ヘッダを読み出し、前記送信用の第１のデータと前記ヘッダとで送信用のパケットを生成し送信するようにした。
請求項４６の発明は、請求項４４に記載のデータ処理方法であって、前記外部機器に送信するための送信用の第２のデータを前記データ用格納メモリに格納し、前記送信用の第２のデータに対応するヘッダを前記ヘッダ用格納メモリに格納し、前記データ用格納メモリから前記送信用の第２のデータを読み出し、前記ヘッダ用格納メモリから前記ヘッダを読み出し、前記送信用の第２のデータと前記ヘッダとで送信用のパケットを生成し送信するようにした。
【手続補正１１】
【補正対象書類名】明細書
【補正対象項目名】００２３
【補正方法】変更
【補正の内容】
【００２３】
請求項４７の発明は、内部装置と外部機器との間に設けられ、ある一定の周期毎に第１の転送モードにて転送される第１のデータパケットと、前記第１の転送モードによるデータ転送が行われていない時間にデータ転送が行われる第２の転送モードにて転送される第２のデータパケットの受信を行うデータ処理装置であって、前記受信した第１のデータパケット及び第２のデータパケットをヘッダとデータとに分離するパケット解析部と、前記ヘッダを格納するヘッダ用格納メモリと、前記データを格納するデータ用格納メモリと、前記ヘッダ用格納メモリに格納されたヘッダと、前記データ用格納メモリに格納されたデータとをそれぞれ別々に前記内部装置に転送するためのインタフェースとを備えた。
【手続補正１２】
【補正対象書類名】明細書
【補正対象項目名】００２４
【補正方法】変更
【補正の内容】
【００２４】
請求項４８の発明は、内部装置と外部機器との間に設けられ、ある一定の周期毎に第１の転送モードにて転送される第１のデータパケットと、前記第１の転送モードによるデータ転送が行われていない時間にデータ転送が行われる第２の転送モードにて転送される第２のデータパケットの送信及び受信を行うデータ処理装置であって、前記受信した第１のデータパケット及び第２のデータパケットをヘッダとデータとに分離するパケット解析部と、前記ヘッダ及び前記内部装置から出力される送信用のデータに対応する送信用のヘッダを格納するためのヘッダ用格納メモリと、前記データ及び前記内部装置から出力される送信用のデータを格納するためのデータ用格納メモリと、前記ヘッダ用格納メモリに格納されたヘッダと、前記データ用格納メモリに格納されたデータとをそれぞれ別々に前記内部装置に転送するとともに、前記内部装置からの送信用のヘッダを前記ヘッダ用格納メモリに転送し、前記内部装置からの送信用のデータを前記データ用格納メモリに転送するためのインタフェースと、前記送信用のへッダと前記送信用のデータとに基づいて送信用のパケットを生成するパケット生成部とを備えた。
【手続補正１３】
【補正対象書類名】明細書
【補正対象項目名】００２５
【補正方法】変更
【補正の内容】
【００２５】
請求項４９の発明は、請求項４８に記載のデータ処理装置において、前記パケット解析部は、前記第１のデータパケットのための第１のデータパケット用パケット解析部と、前記第２のデータパケットのための第２のデータパケット用パケット解析部とを含み、前記ヘッダ用格納メモリは、前記第１のデータパケットのための第１のデータパケット用ヘッダ格納メモリと、前記第２のデータパケットのための第２のデータパケット用ヘッダ格納メモリとを含み、前記データ用格納メモリは、前記第１のデータパケットのための第１のデータパケット用データ格納メモリと、前記第２のデータパケットのための第２のデータパケット用データ格納メモリとを含み、前記インタフェースは、前記第１のデータパケットのための第１のインタフェースと、前記第２のデータパケットのための第２のインタフェースとを含み、前記パケット生成部は、前記第１のデータパケットのための第１のデータパケット用パケット生成部と、前記第２のデータパケットのための第２のデータパケット用パケット生成部とを含む。
【手続補正１４】
【補正対象書類名】明細書
【補正対象項目名】００２６
【補正方法】変更
【補正の内容】
【００２６】
（作用）
請求項１の発明では、第１の転送データと第２の転送データが、それぞれ第１の転送データ用格納メモリと第２の転送データ用格納メモリに格納され、それぞれ第１のインタフェースと第２のインタフェースから読み出される。
請求項２の発明では、第１の転送データが受信されて第１の転送データ用格納メモリに格納され、第２の転送データが受信されて第２の転送データ用格納メモリに格納され、第１の転送データ用格納メモリに格納された第１の転送データが第１のインタフェースを介して内部装置に転送され、第２の転送データ用格納メモリに格納された第２の転送データが第２のインタフェースを介して内部装置に転送される。
請求項３の発明では、第１の転送データが第１のインタフェースを介して第１の転送データ用格納メモリに格納された後に送信され、第１の転送モードによるデータ転送が行われていない時間にデータ転送が行われる第２の転送データが第２のインタフェースを介して第２の転送データ用格納メモリに格納された後に送信される。
請求項４の発明では、請求項１〜３に記載のデータ処理方法の作用に加えて、第１の転送データ用格納メモリと第２の転送データ用格納メモリには複数のメモリが含まれる。
請求項５の発明では、請求項１〜４に記載のデータ処理方法の作用に加えて、第１の転送データ用格納メモリは、受信用メモリと送信用メモリとで構成されている。
請求項６の発明では、請求項１〜４に記載のデータ処理方法の作用に加えて、第２の転送データ用格納メモリは、受信用メモリと送信用メモリとで構成されている。
請求項７の発明では、請求項１〜６に記載のデータ処理方法の作用に加えて、第１のインタフェースは、受信用インタフェースと送信用インタフェースとで構成されている。
請求項８の発明では、請求項１〜６に記載のデータ処理方法の作用に加えて、第２のインタフェースは、受信用インタフェースと送信用インタフェースとで構成されている。
請求項９の発明では、請求項１〜８に記載のデータ処理方法の作用に加えて、第３のメモリに格納された制御データが使用される。
請求項１０の発明では、請求項１〜９に記載のデータ処理方法の作用に加えて、第２のインタフェースは、プロセッサへのインタフェースを兼ねる。
請求項１１の発明では、請求項１〜１０に記載のデータ処理方法の作用に加えて、第１の転送データは、第１のＤＭＡに供給される。
請求項１２の発明では、請求項１〜１１に記載のデータ処理方法の作用に加えて、第２の転送データは、第２のＤＭＡに供給される。
請求項１３の発明では、請求項１〜１２に記載のデータ処理方法の作用に加えて、第１の転送モードはアイソクロナス転送モードであり、第２の転送モードはエイシンクロナス転送モードである。
【手続補正１５】
【補正対象書類名】明細書
【補正対象項目名】００２７
【補正方法】変更
【補正の内容】
【００２７】
請求項１４の発明では、第１の転送データ用格納メモリから読み出された受信用の第１の転送データが内部装置に転送され、内部装置からの送信用の第１の転送データが第１の転送データ用格納メモリに格納され、第２の転送データ用格納メモリから読み出された受信用の第２の転送データが内部装置に転送され、内部装置からの送信用の第２の転送データが第２の転送データ用格納メモリに格納される。
請求項１５の発明では、受信された第１の転送データが第１の転送データ用格納メモリに格納され、受信された第２の転送データデータが第２の転送データ用格納メモリに格納され、第１の転送データ用格納メモリに格納された受信用の第１の転送データは、第１のインタフェースを介して転送され、第２の転送データ用格納メモリに格納された第２の転送データは、第２のインタフェースを介して転送される。
【手続補正１６】
【補正対象書類名】明細書
【補正対象項目名】００２８
【補正方法】変更
【補正の内容】
【００２８】
請求項１６の発明では、第１の転送データ用格納メモリにより第１の転送データが受信されて格納され、第２の転送データ用格納メモリにより第２の転送データが受信されて格納され、第１のインタフェースにより第１の転送データ用格納メモリから読み出された第１の転送データが内部装置に転送され、第２のインタフェースにより第２の転送データ用格納メモリから読み出された第２の転送データが内部装置に転送される。
請求項１７の発明では、第１のインタフェースにより第１の転送データが受信され、当該第１の転送データは第１の転送データ用格納メモリに格納され、第２のインタフェースにより第２の転送データが受信され、当該第２の転送データは第２の転送データ用格納メモリに格納される。
請求項１８の発明では、請求項１５〜１７に記載のデータ処理装置の作用に加えて、第１の転送データ用格納メモリと第２の転送データ用格納メモリには複数のメモリが含まれる。
請求項１９の発明では、請求項１５〜１８に記載のデータ処理装置の作用に加えて、第１の転送データ用格納メモリは、受信用メモリと送信用メモリとで構成されている。
請求項２０の発明では、請求項１５〜１９に記載のデータ処理装置の作用に加えて、第２の転送データ用格納メモリは、受信用メモリと送信用メモリとで構成されている。
請求項２１の発明では、請求項１５〜２０に記載のデータ処理装置の作用に加えて、第１のインタフェースは、受信用インタフェースと送信用インタフェースとで構成されている。
請求項２２の発明では、請求項１５〜２１に記載のデータ処理装置の作用に加えて、第２のインタフェースは、受信用インタフェースと送信用インタフェースとで構成されている。
請求項２３の発明では、請求項１５〜２２に記載のデータ処理装置の作用に加えて、制御データを格納する第３のメモリが備えられている。
請求項２４の発明では、請求項１５〜２３に記載のデータ処理装置の作用に加えて、第２のインタフェースは、プロセッサへのインタフェースを兼ねる。
請求項２５の発明では、請求項１５〜２４に記載のデータ処理装置の作用に加えて、第１の転送データが供給される第１のＤＭＡが備えられている。
請求項２６の発明では、請求項１５〜２５に記載のデータ処理装置の作用に加えて、第２の転送データが供給される第２のＤＭＡが備えられている。
請求項２７の発明では、請求項１５〜２６に記載のデータ処理装置の作用に加えて、第１の転送モードはアイソクロナス転送モードであり、第２の転送モードはエイシンクロナス転送モードである。
【手続補正１７】
【補正対象書類名】明細書
【補正対象項目名】００２９
【補正方法】変更
【補正の内容】
【００２９】
請求項２８の発明では、第１のインタフェースにより第１の転送データ用格納メモリから読み出された受信用の第１の転送データが内部装置に転送されるとともに、内部装置からの送信用の第１の転送データが第１の転送データ用格納メモリに格納され、第２のインタフェースにより第２の転送データ用格納メモリから読み出された受信用の第２の転送データが内部装置に転送されるとともに、内部装置からの送信用の第２の転送データが第２の転送データ用格納メモリに格納される。
請求項２９の発明では、請求項２８に記載のデータ処理装置の作用に加えて、第１の転送データ用格納メモリには、受信用の第１の転送データを格納するための第１の受信用転送データ格納メモリと送信用の第１の転送データを格納するための第１の送信用転送データ格納メモリとが含まれている。
請求項３０の発明では、請求項２８〜２９に記載のデータ処理装置の作用に加えて、第２の転送データ用格納メモリには、受信用の第２の転送データを格納するための第２の受信用転送データ格納メモリと送信用の第２の転送データを格納するための第２の送信用転送データ格納メモリとが含まれている。
請求項３１の発明では、請求項２８〜３０に記載のデータ処理装置の作用に加えて、第１のインタフェースには、第１の受信用インタフェースと第１の送信用インタフェースとが含まれている。
請求項３２の発明では、請求項２８〜３１に記載のデータ処理装置の作用に加えて、第２のインタフェースには、第２の受信用インタフェースと第２の送信用インタフェースとが含まれている。
請求項３３の発明では、請求項２８〜３２に記載のデータ処理装置の作用に加えて、制御データを格納する第３のメモリが備えられている。
請求項３４の発明では、請求項２８〜３３に記載のデータ処理装置の作用に加えて、第２のインタフェースは、プロセッサへのインタフェースを兼ねている。
請求項３５の発明では、請求項２８〜３４に記載のデータ処理装置の作用に加えて、第１の転送データが供給される第１のＤＭＡが備えられている。
請求項３６の発明では、請求項２８〜３５に記載のデータ処理装置の作用に加えて、第２の転送データが供給される第２のＤＭＡが備えられている。
請求項３７の発明では、請求項２８〜３６に記載のデータ処理装置の作用に加えて、第１の転送モードはアイソクロナス転送モードであり、第２の転送モードはエイシンクロナス転送モードである。
【手続補正１８】
【補正対象書類名】明細書
【補正対象項目名】００３０
【補正方法】変更
【補正の内容】
【００３０】
請求項３８の発明では、物理層処理回路により第１の転送データ又は第２の転送データが受信され、リンク層処理回路により物理層処理回路からの第１の転送データ又は第２の転送データが処理され、パケット処理回路によりリンク層処理回路からの第１の転送データ又は第２の転送データが処理され、第１の転送データ用格納メモリに第１の転送データが格納され、第２の転送データ用格納メモリに第２の転送データが格納され、第１のインタフェースにより第１の転送データ用格納メモリから読み出された第１の転送データが転送され、第２のインタフェースにより第２の転送データ用格納メモリから読み出された第２の転送データが転送される。
【手続補正１９】
【補正対象書類名】明細書
【補正対象項目名】００３１
【補正方法】変更
【補正の内容】
【００３１】
請求項３９の発明では、請求項３８に記載のデータ処理装置の作用に加えて、リンク層処理回路により、第１の転送データ又は第２の転送データが自己宛のデータであるか否かの判断がなされるか、あるいは、第１の転送データ又は第２の転送データの種類が判断されてパケット処理回路に送信される処理が行われる。
請求項４０の発明では、請求項３８に記載のデータ処理装置の作用に加えて、パケット処理回路により誤り訂正のチェック処理が行われる。
【手続補正２０】
【補正対象書類名】明細書
【補正対象項目名】００３２
【補正方法】変更
【補正の内容】
【００３２】
請求項４１の発明では、第１インタフェースにより第１の転送データが内部装置から受信されて第１の転送データ用格納メモリに格納され、第２インタフェースにより第２の転送データが内部装置から受信されて第２の転送データ用格納メモリに格納され、第１の転送データ又は第２の転送データはパケット処理部にて処理され、パケット処理部からの第１の転送データ又は第２の転送データはリンク層処理回路にて処理され、リンク層処理回路からの第１の転送データ又は第２の転送データは物理層処理回路にて送信される。
請求項４２の発明では、請求項４１に記載のデータ処理装置の作用に加えて、パケット処理回路にて生成された誤り訂正符号が第１の転送データ又は第２の転送データに付加される。
【手続補正２１】
【補正対象書類名】明細書
【補正対象項目名】００３３
【補正方法】変更
【補正の内容】
【００３３】
請求項４３の発明は、第１の転送モードにて転送される第１のデータパケットをヘッダとデータとに分離する。そして、その分離したヘッダはヘッダ用格納メモリに格納され、分離したデータはデータ用格納メモリに格納される。そして、ヘッダはヘッダ用格納メモリから読み出されるともに、データはデータ用格納メモリから連続して読み出される。
【手続補正２２】
【補正対象書類名】明細書
【補正対象項目名】００３４
【補正方法】変更
【補正の内容】
【００３４】
請求項４４の発明は、第１のデータパケットを第１のヘッダと第１のデータとに分離し、第２のデータパケットを第２のヘッダと第２のデータとに分離する。そして、第１及び第２のヘッダはヘッダ用格納メモリに格納され、第１及び第２のデータはデータ用格納メモリに格納される。そして、第１のヘッダはヘッダ用格納メモリから読み出され、第１のデータはデータ用格納メモリから連続して読み出される。第２のヘッダはヘッダ用格納メモリから読み出され、第２のデータはデータ用格納メモリから連続して読み出される。
【手続補正２３】
【補正対象書類名】明細書
【補正対象項目名】００３５
【補正方法】変更
【補正の内容】
【００３５】
請求項４５の発明は、請求項４４に記載のデータ処理方法の作用に加えて、送信用の第１のデータがデータ用格納メモリに格納されるとともに、その送信用の第１のデータに対応するヘッダはヘッダ用格納メモリに格納される。送信用のパケットは、送信用の第１のデータとヘッダとで生成され送信される。
請求項４６の発明は、請求項４４に記載のデータ処理方法の作用に加えて、送信用の第２のデータがデータ用格納メモリに格納されるとともに、その送信用の第２のデータに対応するヘッダはヘッダ用格納メモリに格納される。送信用のパケットは、送信用の第２のデータとヘッダとで生成され送信される。
【手続補正２４】
【補正対象書類名】明細書
【補正対象項目名】００３６
【補正方法】変更
【補正の内容】
【００３６】
請求項４７の発明は、受信した第１のデータパケット及び第２のデータパケットがパケット解析部にてヘッダとデータとに分離される。分離されたパケットのヘッダはヘッダ用格納メモリに格納され、分離されたパケットのデータはデータ用格納メモリに格納される。ヘッダ用格納メモリに格納されたヘッダとデータ用格納メモリに格納されたデータはインタフェースを介してそれぞれ別々に内部装置に転送される。
【手続補正２５】
【補正対象書類名】明細書
【補正対象項目名】００３７
【補正方法】変更
【補正の内容】
【００３７】
請求項４８の発明は、受信した第１のデータパケット及び第２のデータパケットがパケット解析部にてヘッダとデータとに分離される。ヘッダはヘッダ用格納メモリに格納され、データはデータ用格納メモリに格納される。又、送信用のデータに対応する送信用のヘッダはヘッダ用格納メモリに格納され、送信用のデータはデータ用格納メモリに格納される。ヘッダ用格納メモリに格納されたヘッダとデータ用格納メモリに格納されたデータは、インタフェースを介してそれぞれ別々に前記内部装置に転送される。又、内部装置からの送信用のヘッダはインタフェースを介してヘッダ用格納メモリに転送され、内部装置からの送信用のデータは、インタフェースを介してデータ用格納メモリに転送される。送信用のへッダと送信用のデータは、パケット生成部にて送信用のパケットに生成される。
【手続補正２６】
【補正対象書類名】明細書
【補正対象項目名】００３８
【補正方法】変更
【補正の内容】
【００３８】
請求項４９の発明は、第１のデータパケットが第１のデータパケット用パケット解析部にて分離され、第２のデータパケットが第２のデータパケット用パケット解析部にて分離される。第１のデータパケットのヘッダは第１のデータパケット用ヘッダ格納メモリに格納され、第２のデータパケットは第２のデータパケット用ヘッダ格納メモリに格納される。第１のデータパケットのデータは第１のデータパケット用データ格納メモリに格納され、第２のデータパケットのデータは第２のデータパケット用データ格納メモリに格納される。第１のデータは第１のデータパケット用パケット生成部にて生成され、第２のデータパケットは第２のデータパケット用パケット生成部にて生成される。
【手続補正２７】
【補正対象書類名】明細書
【補正対象項目名】０１３５
【補正方法】変更
【補正の内容】
【０１３５】
【発明の効果】
請求項１〜４２の発明によれば、第１の転送データと第２の転送データとをそれぞれ別々の格納メモリに格納しそれぞれ別々のインタフェースで転送するようにしたので、連続転送及びリアルタイム転送が確保されリアリティのある動画等の再生を保証することができる。
【手続補正２８】
【補正対象書類名】明細書
【補正対象項目名】０１３６
【補正方法】変更
【補正の内容】
【０１３６】
請求項４３〜４９の発明によれば、転送用のパケットを構成するヘッダとデータをそれぞれ分離して転送するようにしたので、連続転送及びリアルタイム転送が確保されリアリティのある動画等の再生を保証することができる。